(57)【要約】【課題】果菜類農作物の色状態に優れ、果菜類農作物の秀品率が高い果菜類農作物の高設栽培方法を提供することである。【解決手段】地面に設置した温室内で行う果菜類農作物の高設栽培方法であって、前記温室内の地面が、２８０ｎｍ以上３１５ｎｍ波長領域の平均反射率が１０％以下かつ４００ｎｍ以上２０００ｎｍ以下波長領域の平均反射率が３０％以上５０％以下であるシートで覆われることを特徴とする高設栽培方法。【選択図】なし【特許請求の範囲】
【請求項１】
地面に設置した温室内で行う果菜類農作物の高設栽培方法であって、前記温室内の地面が、２８０ｎｍ以上３１５ｎｍ以下の波長領域の平均反射率が１０％以下かつ４００ｎｍ以上２０００ｎｍ以下の波長領域の平均反射率が３０％以上５０％以下であるシートで覆われることを特徴とする高設栽培方法。
【請求項２】
地面に設置して果菜類農作物の高設栽培するための温室であって、温室内の地面が、２８０ｎｍ以上３１５ｎｍ波長領域の平均反射率が１０％以下かつ４００ｎｍ以上２０００ｎｍ以下波長領域の平均反射率が３０％以上５０％以下であるシートで覆われることを特徴とする温室。
【発明の詳細な説明】
【技術分野】
【０００１】
本発明は、果菜類農作物の高設栽培方法及び高設栽培に用いる温室に関する。
【背景技術】
【０００２】
イチゴなどの果菜類農作物を地面から離れた位置に栽培用培地を設置する高設栽培が公知である（例えば、特許文献１及び２参照）。このような高設栽培では、ビニールハウス又はガラスハウスなどの温室内に、高設栽培用培地を設置する場合が多い。
床面に対して栽培ベッド面積を増加させて農作業効率が向上し、且つ床面をバリアフリーにさせ、車椅子を利用する人にもイチゴ狩りが楽しめる、温室内で行う植物の高設栽培方法が公知である（例えば、特許文献３参照）。
【先行技術文献】
【特許文献】
【０００３】
【特許文献１】特開２００２−３６００８３号公報
【特許文献２】特開２０１５−２２８８２４号公報
【特許文献３】特開２００５−０４６０２５号公報
【発明の概要】
【発明が解決しようとする課題】
【０００４】
地面に設置した温室内で行う果菜類農作物の高設栽培、特に温室内で行うイチゴなどの高設栽培では、季節、外気温及び日射量の影響によって果菜類農作物の色付き不足若しくは黒ずみなどの色状態の劣化、又は受粉用ミツバチや受粉用ハエの活動に影響を及ぼし秀品率の低下を招く可能性が高くなる。
温室内温度と日射量は完全人工光型温室の導入によりコストを掛ければ改善できる事項である。しかしながら、設置費用、運転費用及び設備管理費用が必要になってコスト高に陥る。
【０００５】
本発明の目的は、地面上に設置した温室内で行う果菜類農作物の高設栽培方法において、季節、外気温及び日射量の影響を抑えて、果菜類農作物の色状態に優れ、果菜類農作物の秀品率が高い果菜類農作物の高設栽培方法を提供することである。さらに、高設栽培に好適な温室を提供することである。
【課題を解決するための手段】
【０００６】
本発明の目的は、以下によって達成される。
【０００７】
［１］地面上に設置した温室内で行う果菜類農作物の高設栽培方法において、前記温室内の地面が、２８０ｎｍ以上３１５ｎｍ以下の波長領域の平均反射率が１０％以下かつ４００ｎｍ以上２０００ｎｍ以下の波長領域の平均反射率が３０％以上５０％以下であるシートで覆われることを特徴とする高設栽培方法。
【０００８】
さらに、高設栽培に好適な温室としては、以下によって達成される。
［２］地面上に設置して果菜類農作物の高設栽培するための温室であって、温室内の地面が、２８０ｎｍ以上３１５ｎｍ以下の波長領域の平均反射率が１０％以下かつ４００ｎｍ以上２０００ｎｍ以下の波長領域の平均反射率が３０％以上５０％以下であるシートで覆われることを特徴とする温室。
【発明の効果】
【０００９】
本発明によれば、地面上に設置した温室内で行う果菜類農作物の高設栽培方法において、果菜類農作物の色状態に優れ、果菜類農作物の秀品率が高い果菜類農作物の高設栽培方法を提供することができる。さらに、高設栽培に好適な温室を提供することができる。
【発明を実施するための形態】
【００１０】
以下、本発明について詳細に説明する。
【００１１】
本発明は、地面に温室を設置し、該温室内の地面が特定のシートで覆われた温室を用いて果菜類農作物の高設栽培を行う高設栽培方法である。
温室は、果菜類農作物の栽培に用いられる従来公知のビニールハウス又はガラスハウスなどである。本発明に係る温室は、特許文献３に開示された高設栽培方法に開示されるが如くのコンクリート又はアスファルトなどによって覆われた土地に設置されるのではなく、土などの地面に設置される。
【００１２】
本発明に係る温室は、設置された温室内の地面が特定のシートで覆われる。
【００１３】
本発明に係る前記シートは、２８０ｎｍ以上３１５ｎｍ波長領域の平均反射率が１０％以下かつ４００ｎｍ以上２０００ｎｍ以下波長領域の平均反射率が３０％以上５０％以下である。
反射率は、日本分光社製の紫外可視近赤外分光光度計Ｖ−５７０を用いて測定される値である。２８０ｎｍ以上３１５ｎｍ以下の波長領域の平均反射率は、２８０ｎｍ〜３１５ｎｍの間を波長５μｍ間隔で測定し、各波長で得られる反射率を平均した値である。４００ｎｍ以上２０００ｎｍ以下の波長領域の平均反射率は、４００ｎｍ〜２０００ｎｍの間を波長１０μｍ間隔で測定し、各波長で得られる反射率を平均した値である。
２８０ｎｍ以上３１５ｎｍ以下の波長領域の平均反射率が１０％超、４００ｎｍ以上２０００ｎｍ以下の波長領域の平均反射率が３０％未満、又は４００ｎｍ以上２０００ｎｍ以下の波長領域の平均反射率が５０％超であると、本発明に係る効果の少なくとも一つを満足できない。
【００１４】
本発明に係るシートの例としては、淡青色又は淡緑色を有する、ポリエステル繊維を多重構造に織り込んだシート又はポリエステルとポリアミドとの複合繊維及びポリエステル繊維を多重構造に織り込んだシートを挙げることができる。多重織りは、例えば、２重織り、２．５重織り及び３重織りを挙げることができる。これら繊維を構成する繊糸の径は、０．１ｍｍ以上０．２５ｍｍ以下が好ましい。シートの厚さは、０．６ｍｍ以上０．８ｍｍ以下が好ましい。
このようなシートは、例えば、製紙分野の抄紙工程において初期の脱水工程で使用されるワイヤーシートを挙げることができる。このようなシートは、日本フイルコン社、ハイク．ワグナージャパン社及び日本フエルト社などから市販される。
【００１５】
本発明により、高設栽培方法に適する温室を提供する。本発明の温室は、温室内の地面が、２８０ｎｍ以上３１５ｎｍ以下の波長領域の平均反射率が１０％以下かつ４００ｎｍ以上２０００ｎｍ以下の波長領域の平均反射率が３０％以上５０％以下であるシートで覆われることを特徴とする。該シートは、上記高設栽培方法で説明を記載したシートと同じであり、説明を割愛する。
【００１６】
本発明の高設栽培方法に好適な果菜類農作物は、例えば、イチゴ、トマト、ピーマン、及びパプリカなどを挙げることができる。
【実施例】
【００１７】
以下に、本発明について、実施例をもって説明する。以下の実施例は本発明の一例であり、本発明を限定するものではない。
【００１８】
各評価の方法は以下の通りである。
【００１９】
（果菜類農作物の色状態）
果菜類農作物の全体の色状態を目視で判定した。結果から下記の基準で評価した。本発明において、評価○であれば、高設栽培方法は果菜類農作物の色状態に優れるものとする。
○：色付きが全体的に十分で黒ずみがかる部分がない。
△：色付きが不十分な部分又は黒ずみがかる部分があるものの実用上問題ない。
×：色付きが不十分な部分又は黒ずみがかる部分があって実用上不可である。
【００２０】
（果菜類農作物の秀品率）
果菜類農作物の形状及び色付きの鮮やかさを目視で判定し、形状が良くかつ色付きの鮮やかな果菜類農作物の全個数に対する割合を秀品率として算出した。結果から下記の基準で評価した。本発明において、評価◎及び○であれば、高設栽培方法は秀品率が高いものとする。
◎：８０％以上。
○：７０％以上８０％未満。
△：６０％以上７０％未満。
×：６０％未満。
【００２１】
（栽培）
土の地面に、渡辺パイプ社製の太陽光型ビニールハウス中に特許文献２に記載されるが如くの高さ１００ｃｍの高設ベンチを設置し、ビニールハウス内の地面にシートを敷設した。使用したシートは下記に示す。当該設備を用いて夏秋イチゴの高設栽培を４月から１１月の８ヶ月間実施した。得られたイチゴを収穫した。なお、受粉のためにミツバチの巣箱を導入し、病気や害虫の発生状況に応じて、適切な範囲で薬剤散布を実施した。
【００２２】
実施例１のシート：日本フイルコン社製のポリエステル繊糸とポリアミド繊糸からなる３重織りの繊維シート「ＬＴＴ−９ＦＥ」。
実施例２のシート：日本フイルコン社製のポリエステル繊糸とポリアミド繊糸からなる２重織りの繊維シート「ＬＬ−７０Ｅ」。
実施例３のシート：日本フイルコン社製のポリエステル繊糸とポリアミド繊糸からなる２重織りの繊維シート「ＬＬ−７ＦＯ」。
実施例４のシート：ハイク．ワグナージャパン社製のポリエステル繊糸とポリアミド繊糸からなる２重織りの繊維シート「２５０５−３０Ｔ」。
比較例１のシート：コメリ社製の防草シート「オリジナル」。
比較例２のシート：コメリ社製の防草シート「ウィードガード」。
比較例３のシート：コメリ社製の防草シート「グランドシート」。
比較例４のシート：小泉製麻社製のシート「ルンルンシート白ピカ」。
比較例５のシート：小泉製麻社製のシート「ルンルンシート白白」。
【００２３】
それぞれシートの２８０ｎｍ以上３１５ｎｍ以下の波長領域の平均反射率、４００ｎｍ以上２０００ｎｍ以下の波長領域の平均反射率は、表１に記載する。
【００２４】
各実施例及び各比較例の結果を表１に示す。
【００２５】
【表１】
2020099251.tif 000002
【００２６】
表１から、本発明に相当する実施例１〜４は、果菜類農作物の色状態に優れ、果菜類農作物の秀品率が高い果菜類農作物の高設栽培方法であることが分かる。本発明に該当しない比較例１〜５は、本願発明のこれら効果の少なくとも一つを満足することができない方法と分かる。
また、地面に設置する高設栽培を行う温室であって、温室内の地面が、２８０ｎｍ以上３１５ｎｍ以下の波長領域の平均反射率が１０％以下かつ４００ｎｍ以上２０００ｎｍ以下の波長領域の平均反射率が３０％以上５０％以下であるシートで覆われた温室は、高設栽培された果菜類農作物の色状態に優れ、及び秀品率が高いことが分かる。